(57)【要約】【課題】２ｍｍ角以下などの小型サイズのアンテナ付きのＩＣチップを小片状の基材上に取り付けたＩＣタグを、情報提供サービスシートやカード等のシート材上に装着することにより、良好な精度で効率的に装着できるようにすることにある。【解決手段】ＩＣタグ供給部Ａとシート供給部Ｂにて、ＩＣチップ供給用ＴＡＢテープ４先端部の１単位のＩＣタグ１ａを備えたテープ状基材１を、順次第１吸着保持手段１１によって吸着保持しながらカッティング手段１２にてカッティングし、第２水平吸着保持板１３にて吸着保持してシート１５面に貼着した後、該シート１５をミシン目ａを介して二つ折りして重ね合わせ押圧して接着して、シート間に複数単位のＩＣタグ１ａを挟持し、型抜きして小片状としたＩＣチップ装着シートを作製する。【選択図】図２
2005316816.tif 000002
【特許請求の範囲】
【請求項１】
テープ状基材１の上面に規則的に偏平小片状のアンテナ付きＩＣチップ２からなる１単位のＩＣモジュール１ａの複数単位を等間隔に配列形成したＩＣモジュール供給用ＴＡＢテープ４を間欠送行させながら、該ＴＡＢテープ４先端部の１単位ＩＣモジュール１ａを形成したテープ状基材１をその下面にて水平に吸着保持して水平移動可能な第１水平吸着保持板１０を備えた第１吸着保持手段１１と、該第１吸着保持手段１１にて水平に保持したテープ状基材１を１単位のＩＣモジュール１ａ毎にカッティングするカッティング手段１２と、カッティングされて前記第１吸着保持手段１１の水平移動によりテープ状基材１と共に前方に繰り出される１単位のＩＣモジュール１ａをその上方より水平に吸着保持して垂直移動可能な第２水平吸着保持板１３を備え、該第２水平吸着保持板１３の下側に平行に離間対向する上面に接着剤が塗布され且つ供給方向に沿って半サイズに二つ折り可能なミシン目ａが形成されて間欠供給される連続又は枚葉のシート１５上の片方の半サイズ側の１単位モジュール供給位置に、該第２水平吸着保持板１３にて吸着保持された１単位ＩＣモジュール１ａを、順次複数単位供給し、押圧又は加熱押圧して装着する第２吸着保持手段１４と、前記シート１５をミシン目ａを介して二つ折りして重ね合わせ、該二つ折りしたシート１５間に複数単位のＩＣモジュール１ａを挟持する折り手段１６と、二つ折りして重ね合わせた前記シート１５を押圧又は加熱押圧し重ね合わせシート間を接着して複数単位のＩＣモジュール１ａを挟持した重ね合わせシート１５を作製する押圧接着手段１７と、重ね合わせシート１５を型抜きして小片状ＩＣモジュール装着シート１８を作製する型抜き手段１９とを備えたことを特徴とするＩＣモジュール装着シート製造装置。
【請求項２】
上記請求項１記載のＩＣモジュール装着シート製造装置において、複数単位のＩＣモジュール１ａを挟持した重ね合わせシート１５を作製する前記押圧接着手段１７又は重ね合わせシート１５を型抜きして小片状のＩＣモジュール装着シート１８を作製する前記型抜き手段１９の後段に、各々１単位ＩＣモジュール１ａに記録されている各々記録データを読み取る記録データ読取手段２２と、読み取られた前記各々記録データに対応する各々識別記号を出力印字する印字手段２３と、出力印字された前記各々識別記号を画像として読み取り、前記各々１単位ＩＣモジュール１ａと各々識別記号との紐付け処理若しくは整合性処理をする個別シート確定手段２４とを備えることを特徴とするＩＣモジュール装着シート製造装置。
【請求項３】
前記連続又は枚葉のシート１５が、薄紙、厚紙など紙製シート又はプラスチック製シートであることを特徴とする請求項１又は請求項２記載のＩＣモジュール装着シート製造装置。
【請求項４】
前記第１吸着保持手段１１の前段の間欠送行する前記ＩＣモジュール供給用ＴＡＢテープ４の上方に、１単位毎のＩＣモジュールを検査する検査手段４ａを設け、前記第１吸着保持手段１１の後段にＩＣモジュール排出部９を設けたことを特徴とする請求項１乃至請求項３のいずれか１項記載のＩＣモジュール装着シート製造装置。
【発明の詳細な説明】
【技術分野】
【０００１】
本発明は、紙、プラスチック等のフィルム、シートに対して、情報データを記録し、読み出しできるＩＣモジュールを装着してＩＣモジュール装着シートを製造するＩＣモジュール装着シート製造装置に関する。
【背景技術】
【０００２】
一般に、製造・販売者側が、顧客や消費者に対して、各種商品に関する商品名や商品情報、あるいは商品製造情報や販売情報や製造・販売者情報等の情報、あるいは、キャンペーン時の景品等の当たりはずれ情報、キャンペーン応募情報等の情報を提供しようとする場合は、それらの情報を掲載した各種カタログや情報提供用サービスシートや情報カード等の発行やダイレクトメール等の配信が行われる。
【０００３】
また、これら情報提供用のサービスシートやカードとしては、情報データを電子データとして記録し、専用の読取手段によって読み出しできる磁気カードやＩＣカード、あるいはＩＣチップとアンテナからなるＩＣモジュール（又は１ｃチップ、又はＩＣチップとアンテナからなる１単位のＩＣモジュールを小片支持シートに搭載したＩＣタグ）を装着したＩＣモジュール装着シートなどを発行する場合もある。
【０００４】
上記ＩＣモジュール（又はＩＣチップ）を装着したＩＣモジュール装着シートは、例えば、商品名や商品情報、商品製造・情報、製造・販売者情報等を商品情報提供サービス用に、また、キャンペーン時の景品等の当たりはずれ情報、キャンペーン応募情報等の情報提供サービス用に、ＩＣチップのメモリに製造・販売者側によって書き込み記録し、顧客や消費者に対して発行して利用される。
【０００５】
これらＩＣモジュール装着シートを用いずに、通常の用紙等のシート面に上記の商品情報や商品情報以外のキャンペン情報等を印刷により表示することにより、情報提供サービスシートとして利用することはできるが、シート面への印刷表示やデザイン表示においては、シートスペースの制約を受けるとともに、顧客が、その情報提供サービスシートを用いてキャンペーン等に応募する際においては、そのシートの応募券部の切り取りや応募券シール部の剥がし取り、あるいは、応募券の収集、応募シート台紙への添付や応募券やシールの郵送等の手間が掛かる。
【０００６】
また、現状のように景品等の当たりはずれ情報、キャンペーン時の応募券マーク、シール等の商品情報以外の情報が、情報提供サービスシートへの印刷により提示されている場合には、当たり券や応募券や応募シール等のコピーや偽造、あるいは不正使用等のトラブルが発生したり、また、その発生が見過ごされてしまう危険性もある。
【０００７】
また、商品の販売キャンペーンを実施する製造業者や販売業者にとっても、多数の顧客から応募されてくる応募データのデータ処理やデータ処理後の対応に手間が掛かるとともに、応募により入手した顧客情報データ等が旨く活用され難いといった不都合もある。
【０００８】
そこで、近年は、上記不都合を解消するために、情報提供サービスシートに、商品情報や、当たりはずれ情報、応募券マーク、応募シール等の商品情報以外の情報等を電子データとして書き込み記録可能な、ＩＣモジュール（アンテナ付きＩＣチップ）を取り付け装着する技術が開発されており、例えば、特開２００３−１１９１４号公報などがある。
【０００９】
しかしながら、前記シートに装着するＩＣモジュールが、例えば、２ｍｍ角以下などの
小型サイズであると、物品に取り付ける装着位置精度を良好に得ることが困難になり、精度良く装着しようとすると、装着方法や装置が非常に大掛かりなものになり、また装着速度が遅くなるといった問題があった。
【００１０】
以下に、従来公知の特許文献を記載する。
【特許文献１】特開２００３−１１９１４号公報
【発明の開示】
【発明が解決しようとする課題】
【００１１】
そこで、本発明の課題は、２ｍｍ角以下などの小型サイズのＩＣチップとアンテナからなる１単位分のＩＣモジュールを小片状の基材上に取り付けた１単位のＩＣタグを、各１単位毎に情報提供サービスシートやカード等のシート材上に装着することにより、良好な精度で効率的に装着できるようにすることにある。
【課題を解決するための手段】
【００１２】
本発明の請求項１に係る発明は、テープ状基材１の上面に規則的に偏平小片状のアンテナ付きＩＣチップ２からなる１単位のＩＣモジュール１ａの複数単位を等間隔に配列形成したＩＣモジュール供給用ＴＡＢテープ４を間欠送行させながら、該ＴＡＢテープ４先端部の１単位ＩＣモジュール１ａを形成したテープ状基材１をその下面にて水平に吸着保持して水平移動可能な第１水平吸着保持板１０を備えた第１吸着保持手段１１と、該第１吸着保持手段１１にて水平に保持したテープ状基材１を１単位のＩＣモジュール１ａ毎にカッティングするカッティング手段１２と、カッティングされて前記第１吸着保持手段１１の水平移動によりテープ状基材１と共に前方に繰り出される１単位のＩＣモジュール１ａをその上方より水平に吸着保持して垂直移動可能な第２水平吸着保持板１３を備え、該第２水平吸着保持板１３の下側に平行に離間対向する上面に接着剤が塗布され且つ供給方向に沿って半サイズに二つ折り可能なミシン目ａが形成されて間欠供給される連続又は枚葉のシート１５上の片方の半サイズ側の１単位モジュール供給位置に、該第２水平吸着保持板１３にて吸着保持された１単位ＩＣモジュール１ａを、順次複数単位供給し、押圧又は加熱押圧して装着する第２吸着保持手段１４と、前記シート１５をミシン目ａを介して二つ折りして重ね合わせ、該二つ折りしたシート１５間に複数単位のＩＣモジュール１ａを挟持する折り手段１６と、二つ折りして重ね合わせた前記シート１５を押圧又は加熱押圧し重ね合わせシート間を接着して複数単位のＩＣモジュール１ａを挟持した重ね合わせシート１５を作製する押圧接着手段１７と、重ね合わせシート１５を型抜きして小片状ＩＣモジュール装着シート１８を作製する型抜き手段１９とを備えたことを特徴とするＩＣモジュール装着シート製造装置である。
【００１３】
本発明の請求項２に係る発明は、上記請求項１に係るＩＣモジュール装着シート製造装置において、複数単位のＩＣモジュール１ａを挟持した重ね合わせシート１５を作製する前記押圧接着手段１７又は重ね合わせシート１５を型抜きして小片状のＩＣモジュール装着シート１８を作製する前記型抜き手段１９の後段に、各々１単位ＩＣモジュール１ａに記録されている各々記録データを読み取る記録データ読取手段２２と、読み取られた前記各々記録データに対応する各々識別記号を出力印字する印字手段２３と、出力印字された前記各々識別記号を画像として読み取り、前記各々１単位ＩＣモジュール１ａと各々識別記号との紐付け処理若しくは整合性処理をするシート個別確定手段２４とを備えることを特徴とするＩＣモジュール装着シート製造装置である。
【００１４】
本発明の請求項３に係る発明は、上記請求項１又は請求項２に係るＩＣモジュール装着シート製造装置において、前記連続又は枚葉のシート１５が、薄紙、厚紙など紙製シート又はプラスチック製シートであることを特徴とするＩＣモジュール装着シート製造装置で
ある。
【００１５】
本発明の請求項４に係る発明は、上記請求項１乃至請求項３のいずれか１項に係るＩＣモジュール装着シート製造装置において、前記第１吸着保持手段１１の前段の間欠送行する前記ＩＣモジュール供給用ＴＡＢテープ４の上方に、１単位毎のＩＣモジュールを検査する検査手段４ａを設け、前記第１吸着保持手段１１の後段にＩＣモジュール排出部９を設けたことを特徴とするＩＣモジュール装着シート製造装置である。
【発明の効果】
【００１６】
本発明のＩＣモジュール装着シート製造装置は、テープ状基材１の上面に規則的に偏平小片状の１単位アンテナ付きＩＣチップ２の複数単位を等間隔に配列形成したＩＣモジュール供給用ＴＡＢテープ４の先端部のテープ状基材１及び１単位モジュール１ａを、第１吸着保持手段１１により保持しながら、その１単位のテープ状基材付きＩＣモジュール１ａ（１単位のＩＣタグ）毎に、順次カッティングすることができる。
【００１７】
そして、順次カッティングされる前記１単位のテープ状基材付きＩＣモジュール１ａ（１単位のＩＣタグ）を、第２吸着保持手段１４により保持して、供給方向に沿って半サイズに二つ折り可能なミシン目ａが形成されて間欠供給される透明乃至不透明な連続又は枚葉のシート１５上の片方の半サイズ側の１単位のＩＣモジュール１ａ（ＩＣタグ）供給位置に、順次１単位毎に供給して、押圧又は加熱押圧することにより、連続又は枚葉のシート１５上に装着するため、連続シート１５又は枚葉シート１５上に、複数単位のＩＣモジュール１ａ（複数単位のＩＣタグ）を、所定間隔毎に、確実に精度よく、効率的に、しかも安価に装着することができる。
【００１８】
そして、複数単位のＩＣモジュール１ａ（複数単位のＩＣタグ）を多面付け状態で装着した連続又は枚葉のシート１５は、ミシン目ａを介して二つ折りして重ね合わせられて接着されてシート間に挟持され、１単位のＩＣモジュール１ａ（ＩＣタグ）毎に、若しくは必要に応じて２単位以上数単位のＩＣモジュール１ａ毎に型抜きすることにより、小片状のＩＣモジュール装着シート１８（又はＩＣモジュール装着カード）として製造することができ、また、連続又は枚葉のシート１５が不透明なシートであれば、ＩＣモジュール１ａが外側から見えない隠蔽された状態の小片状のＩＣモジュール装着シート１８（又はＩＣモジュール装着カード）として製造することができる。
【００１９】
本発明装置により製造された小片状の各々ＩＣモジュール装着シート１８は、その１単位のＩＣモジュール１ａ（ＩＣタグ）のＩＣチップメモリに、商品等の物品に関する各種情報や、物品情報以外の販売キャンペーン情報等の共通情報、あるいは各々顧客毎の識別コード等の固有情報等を、専用の書込記録手段により電子データとして書き込み記録することができ、また、ＩＣタグ１ａに記録した情報は、専用の読取手段により読み出すことができる。
【００２０】
そのために、製造されたＩＣタグ装着シート１８は、顧客や消費者等に配布することにより、シートやカード面に印刷された各種商品情報や販売情報や商品販売キャンペーン情報等を、ＩＣモジュール１ａ（ＩＣタグ）を用いて多面的、且つバリアブルに提供できるだけでなく、商品販売キャンペーン等における顧客の応募情報のデータ登録や集計の自動化などが可能となり、応募により入手した顧客情報の有効なデータ活用が可能となり、またＩＣチップ本体への電子的書き込み制限を付与することにより、記録された情報等のコピーや偽造などの不正使用を防止したり、その情報にセキュリティ性を付与することができる。
【００２１】
また、本発明装置により製造されたＩＣモジュール装着シート１８は、商品等の物品へ
の情報をＩＣモジュール１ａ（ＩＣタグ）のＩＣチップメモリに記録することができるため、その商品本体又は商品を包装した包装容器本体など物品構造体に印刷したり、ラベリングするための情報表示スペースや、デザインスペースの制約を解消でき、また、ＩＣモジュール１ａのＩＣチップは、そのサイズが、例えば２ｍｍ角以内で小型であるため、シート面の取り付けスペースや、物品本体や包装容器本体のスペースの制約を受けずに、物品に対して添付することができる。
【００２２】
また、本発明装置によれば、連続又は枚葉のシート１５に不透明シートを使用して、ミシン目ａを介して二つ折りして重ね合わせ接着した重ね合わせシート間にＩＣモジュール１ａ（ＩＣタグ）が挟持されたＩＣタグ装着シート１８を製造できるので、後から不透明な被覆材を被覆形成してＩＣタグ１ａを隠蔽する被覆工程が不要になり、シートに装着したＩＣタグ１ａを視覚的に隠蔽することができる効果がある。
【発明を実施するための最良の形態】
【００２３】
本発明のＩＣモジュール装着シート製造装置の実施の形態を、図１に示す全体平面図、図２〜図４に示す斜視図に基づいて以下に詳細に説明する。
【００２４】
本発明のＩＣモジュール装着シート製造装置は、図１の全体平面図に示すように、ＩＣモジュール供給部Ａと、シート供給部Ｂとを備え、該シート供給部Ｂの後段には、シート二つ折り部Ｃと、シート接着部Ｄと、シート型抜き部Ｅと、記録データ読取部Ｆと、印字部Ｇと、シート個別確定部Ｈと、シート搬出部Ｉとをこの順に配置したものである。
【００２５】
本発明のＩＣモジュール装着シート製造装置のＩＣモジュール供給部Ａは、図２の斜視図に示すように、ＩＣモジュール供給用ＴＡＢテープ４を間欠送行させる送行手段５を備え、該送行手段５として、間欠回転動作する一対のインフィード用ニップロールとアウトフィード用ニップロールを備え、１単位の偏平小片状のアンテナ付きＩＣチップ２を１単位のＩＣモジュール１ａとして、その複数単位分のＩＣモジュール１ａ、１ａ、１ａ、・・・・・をテープ状基材１の上面に規則的に等間隔に配列形成したＩＣモジュール供給用ＴＡＢテープ４を、その１単位分のＩＣモジュール１ａ毎に水平に間欠送行させる。
【００２６】
アウトフィード用ニップロール５の後段には、ＩＣモジュール供給用ＴＡＢテープ４を水平方向に送行ガイドする水平ガイド板６（台部）を備え、該水平ガイド板６の後段に、水平ガイド板６の先端部から水平矢印方向に破線位置まで往復移動動作する第１水平吸着保持板１０を備えた第１吸着保持手段１１が設けられている。
【００２７】
該第１吸着保持手段１１の第１水平吸着保持板１０は、上面部分にエアー吸引孔からなる吸着保持部１０ａを備え、該吸着保持部１０ａのエアー吸引動作により、送行ガイド板６にてガイドされて供給されるＴＡＢテープ４の先端部のテープ状基材１と１単位分のアンテナ付きＩＣチップ２とからなる１単位のＩＣモジュール１ａ（ＩＣタグ）を、そのテープ状基材１下面にて水平に吸着保持する。
【００２８】
前記第１水平吸着保持板１０の上方には、上下方向に反復移動動作するカッティング刃部１２ａを備えたカッティング手段１２を備え、該第１水平吸着保持板１０の後端縁に対して、その上方から下方へ摺動しながら、第１水平吸着保持板１０によって水平に吸着保持されたＴＡＢテープ４先端部の１単位分のＩＣモジュール１ａを１単位のＩＣタグ１ａとしてテープ状基材１をカッティングする。
【００２９】
前記第１水平吸着保持板１０は、カッティングされたＴＡＢテープ４先端部の１単位分のＩＣタグ１ａを吸着保持しながら繰り出し、水平矢印方向に破線位置まで前進移動して一旦停止する。
【００３０】
前記第１水平吸着保持板１０の前進移動後の一旦停止位置には、垂直矢印方向に往復移動可能な第２水平吸着保持板１３を備えた第２吸着保持手段１４が設けられている。
【００３１】
第２水平吸着保持板１３は、その下端水平面部分にエアー吸引孔からなる吸着保持部１３ａを備え、該第２水平吸着保持板１３の下降移動により、その吸着保持部１３ａは、一旦、前記第１吸着保持手段１１の水平移動によりテープ状基材１と共に前方に繰り出された第１水平吸着保持板１０上の１単位分のＩＣタグ１ａの上面に近接乃至接触して、該第２水平吸着保持板１３は下降動作を一旦停止して、吸着保持部１３ａのエアー吸引動作と吸着保持部１０ａのエアー吸引停止動作により、該第２水平吸着保持板１３の吸着保持部１３ａは、その１単位分のＩＣタグ１ａを水平に吸着保持し、第１水平吸着保持板１０から受け取る。
【００３２】
第２水平吸着保持板１３により１単位分のＩＣタグ１ａ（１単位のＩＣモジュール）が吸着保持された後は、直ちに第１水平吸着保持板１０は、水平矢印方向に後退移動して、水平ガイド板６の先端部の元の位置（実線位置）に復帰動作する。
【００３３】
第１水平吸着保持板１０の元の位置（実線位置）への復帰動作により、第２水平吸着保持板１３は１単位分のＩＣタグ１ａを水平に吸着保持しながら垂直に下降移動する。
【００３４】
続いて、シート供給部Ｂとして後述するシート供給手段（ニップロール７）によって、図２に示すように間欠供給される透明乃至不透明な連続又は枚葉のシート１５上のモジュール（タグ）供給位置に、１単位のＩＣタグ１ａを順次供給し、押圧又は加熱押圧してシート１５面に接着剤を介して貼着（又は仮止め貼着）して装着する。押圧又は加熱押圧後は、第２水平吸着保持板１３は上昇移動して、元の位置（破線位置）に復帰動作する。
【００３５】
シート供給部Ｂにおいては、垂直昇降移動動作する第２水平吸着保持板１３の下降下止点の真下にシート１５のタグ供給位置が到達するように、連続又は枚葉のシート１５を間欠供給するシート供給手段（例えば、ニップロール７など）を第１、第２水平吸着保持板１０、１３の下方に備える。
【００３６】
第２水平吸着保持板１３が上昇移動して、元の位置（破線位置）に復帰動作するのに続いて、シート１５を、該シート１５上の次のタグ供給位置が、第２水平吸着保持板１３の下降下止点の真下に到達するように、シート供給手段（例えば、ニップロール７など）によって間欠供給して送行移動させる。
【００３７】
その後、続いて、前述のＩＣタグ供給部Ａにおける各手段と、シート供給部Ｂにおける各手段を用いて、ＩＣモジュール供給用ＴＡＢテープ４を送行させて、テープ状基材１と１単位アンテナ付きＩＣチップ２とからなるＩＣモジュール１ａ（ＩＣタグ）を、図２に示すように、１単位分のＩＣタグ１ａ毎に、順次シート１５面に貼着（又は仮止め貼着）して、複数単位分のＩＣタグ１ａをシート１５面に貼着するものである。
【００３８】
本発明のＩＣモジュール装着シート製造装置においては、また、図１に示すように、前記第１吸着保持手段１１の前段の間欠送行する前記ＩＣモジュール供給用ＴＡＢテープ４の上方に、各々ＩＣモジュール１ａのＩＣチップを検査する検査手段４ａを設け、前記第１吸着保持手段１１の後段にＩＣモジュール排出部９を設けてもよい。
【００３９】
前記検査手段４ａは、ＩＣモジュール供給用ＴＡＢテープ４に配列された各々ＩＣチップ２とアンテナ部３とからなる１単位分のＩＣモジュール１ａ毎に、そのＩＣチップ２の回路及びアンテナ部３の良否、断線、通信距離不適合等を検査するものであり、その検査
方式は、本発明においては特に限定されるものではないが、例えば、投光部と受光センサー部とを備え、各々１単位のＩＣモジュール１ａ毎のＩＣチップ２の回路及びアンテナ部３の欠陥孔（光透過）の発生の有無を検査する透過光検査方式や、接触通電検査方式、非接触誘電検査方式等にて検査をすることが可能である。
【００４０】
その検査の結果、ＩＣモジュールに不良が発生している場合には、第２吸着保持手段１４の第２垂直吸着保持板１３の下端面の吸着保持部１３ａによって１単位分のＩＣタグ１ａが吸着保持されて、第１吸着保持手段１１の第１水平吸着保持板１０が元の位置に復帰した後において、直ちに、前記ＩＣモジュール排出部９が第２垂直吸着保持板１３下端面の下方に水平移動し、続いて、吸着保持部１３ａのエアー吸引動作が停止することにより吸着保持されていた不良品としてのＩＣタグ１ａがＩＣモジュール排出部９内に落下し、続いて、直ちにＩＣモジュール排出部９が水平移動して元の位置に復帰動作して、不良品としてのＩＣタグ１ａ（ＩＣモジュール１ａ）を排除できるようになっている。
【００４１】
上記シート供給工程Ｂにおけるシート供給手段としては、その構造、機構を特に限定されるものではないが、例えば、図２に示すように、シート１５を両面から挟んで間欠回転動作する一対のニップロールからなるインフィード用とアウトフィード用のニップロール７と供給台部８でよい。なお、一対の対向する前記ニップロール７は、図２に示すようにシート１５の送行幅方向の全幅に亘って設けてもよいし、あるいは、シート１５の送行幅方向の両端部の２個所、又は両端部及び幅方向中央部の３個所に設けてもよい。
【００４２】
使用する連続又は枚葉のシート１５は、薄紙、厚紙などの不透明な紙製シート又はプラスチック製シートであり、そのシート１５上面の送行幅方向の両端部、又は両端部及び幅方向中央部を除く全面、又はシート１５上面全面に、感圧性接着剤（粘着剤）又は感熱性接着剤（溶剤揮散型接着剤）による接着剤が塗布されており、第２水平吸着保持板１３が１単位分のＩＣタグ１ａを水平に吸着保持しながら垂直に供給台部８上に下降移動して、シート１５を押圧又は加熱押圧することによりシート１５面に接着剤を介してＩＣタグ１ａを貼着して装着する。
【００４３】
また、本発明装置に用いる連続又は枚葉のシート１５には、図２に示すように、そのシート供給方向に沿って、該シート１５を半サイズに二つ折り可能なミシン目ａが形成されており、該シート１５のミシン目ａを挟んで両側の片幅シート１５ａ、１５ｂのうち、いずれか一方の片幅の半サイズ側を前記１単位ＩＣモジュール（ＩＣタグ）供給位置とするものである。
【００４４】
本発明のＩＣチップ装着シート製造装置は、図２に示すシート供給部Ｂにおけるニップロール７によるシート供給手段の後段に、図３（ａ）に示すようにシート二つ折り部Ｃとして折り手段１６を備える。
【００４５】
該折り手段１６は、図３（ａ）に示すように、水平保持板１６ａと傾斜折り板１６ｂからなり、シート送行手段１６ｃによりシート１５を送行させながら、該シート１５のミシン目ａを挟んで両側の片幅シート１５ａ、１５ｂのうち、いずれか一方の片幅シートを、ミシン目ａに沿って水平保持板１６ａの下側に導入して水平に保持しながら送行させ、ミシン目ａを挟んで他方の片幅シートを、傾斜折り板１６ｂの下方に導入しながら、該傾斜折り板１６ｂに沿って徐々にミシン目ａを介して二つ折りして重ね合わせる。なお、シート送行手段１６ｃは、特にその構造、機構を限定するものではないが、例えば、回転送行するエンドレスチェーンに等間隔に取り付けた押送爪によりシート１５の後端部を押送する押送方式や、上下２枚のベルトによりシート１５を挟持して送行させるコンベアベルト方式等がある。
【００４６】
続いて、図３（ｂ）に示すように、シート接着部Ｄとして押圧接着手段１７を備え、折り手段１６によって二つ折りして重ね合わせられた前記シート１５を、押圧接着手段１７として一対の対向するニップロール間（又は平圧プレート間（図示せず））に導入して押圧又は加熱押圧し、重ね合わせシート間を接着して、複数単位のＩＣタグ１ａを挟持したシート１５を作製する。
【００４７】
続いて、図３（ｃ）に示すように、シート型抜き部Ｅとして型抜き手段１９を備え、前記複数単位のＩＣモジュール１ａ（ＩＣタグ１ａ）を挟持したシート１５を、型抜き台部２０上に導入して型抜き手段１９の型抜き刃により型抜き線１５ｃに沿って平圧プレス方式にて型抜きして、又は、型抜き手段１９として、周面に型抜き刃を備えた型抜きロールとプレスロールとの間に導入してロータリープレス方式にて型抜きして、順次、複数枚の小片状のＩＣモジュール装着シート１８を作製する。
【００４８】
続いて、前記シート型抜き部Ｅにおける型抜き手段１９の後段には、図４に示すように記録データ読取部Ｆとして、記録データ読取手段２２を備え、順次、製造される各々ＩＣモジュール装着シート１８を１枚ずつ、シート搬送手段２１により間欠搬送して、シート１８の搬送停止中に、各々ＩＣモジュール装着シート１８の１枚毎に装着された各々ＩＣモジュール１ａ（ＩＣタグ１ａ）に記録されている記録データ（例えば、そのＩＣタグ１ａに固有のコードやシリアルナンバーなど各々ＩＣモジュール装着シート１８を識別するためのデータ）を、該ＩＣタグ１ａのアンテナ部に対して電波信号を入力してＩＣモジュール１ａのＩＣチップメモリに記録されている記録データを読み取り可能な記録データ読取手段２２によって非接触方式にて読み取るものである。
【００４９】
なお、シート搬送手段２１として、例えば、回転送行するエンドレスチェーンに等間隔に取り付けた押送爪によりシート１５の後端部を押送する押送方式や、上下２枚のベルトによりシート１５を挟持して送行させるコンベアベルト方式等がある。
【００５０】
続いて、記録データ読取部Ｆの後段には、図４に示すように、印字部Ｇとして、出力印字するインキジェット方式、レーザープリンター方式等による印字手段２３を備え、前記記録データ読取手段２２によって各々ＩＣモジュール装着シート１８の各々ＩＣタグ１ａを読み取り終了毎に、シート搬送手段２１による間欠送行回数をシフトレジスターによりカウントして、所定カウント数Ｎ（読取手段２２と印字手段２３との間の間欠送行回数、図４の場合はＮ＝２）に到達する毎に、前記記録データ読取手段２２によって読み取られた各々ＩＣモジュール装着シート１８毎のＩＣタグ１ａに記録されている記録データ（固有のコードやシリアルナンバーなど）に対応する各々識別データ（固有のコードやシリアルナンバー、識別コード、識別ナンバー、識別記号など）を、それに対応する各々ＩＣモジュール装着シート１８面に印字手段２３によって出力印字する。
【００５１】
続いて、印字部Ｇの後段には、図４に示すように、シート個別確定部Ｈとして、ＣＣＤカメラ等によるシート個別確定手段２４を備え、前記印字手段２３によって各々ＩＣモジュール装着シート１８に対して、印字終了毎にシート搬送手段２１による間欠送行回数をシフトレジスターによりカウントして、所定カウント数Ｎ（印字手段２３と検査手段２４との間の間欠送行回数、図４の場合はＮ＝１）に到達する毎に、前記印字手段２３によって出力印字された前記各々識別データ（数字、記号、マーク等）を、前記シート個別確定手段２４のＣＣＤカメラ等によって画像として撮像する。
【００５２】
そして、その画像に表出されている数字、記号、マーク等を読み取り、前記各々ＩＣモジュール装着シート１８毎の各々ＩＣタグ１ａのＩＣチップメモリの記録データ（ＩＣデータ）と、各々ＩＣモジュール装着シート１８に印字された各々識別データ（数字、記号、マーク等の印字データ）との紐付け処理（リンク付け、カップリング、データ結合）、
又は整合性処理を行うものである。
【００５３】
上記のシート個別確定手段２４における各々ＩＣモジュール装着シート１８のＩＣモジュール（ＩＣタグ１ａ）のＩＣチップメモリの記録データ（ＩＣデータ）と、該シート１８に印字された各々識別データ（印字データ）との紐付け処理は、所定の紐付け処理プログラムに基づいて、順次送行して読み取られた各々ＩＣモジュール装着シート１８のＩＣタグ１ａに記録されているランダム（又はシリアル）なＩＣデータと、その各々シート１８に印字された印字データとを紐付け処理（リンク付け、カップリング、データ結合）し、何というＩＣデータに何番の番号が印字されたかを認識して、コンピュータデータ処理により前記ＩＣデータと印字データとの両データの紐付け（リンク付け）を行い、両データの紐付けの確定及びその記録登録を行うものである。
【００５４】
そして、前記シート個別確定手段２４では、必要に応じて、各々シート１８に印字された数字、記号、マーク等の印字品質（文字欠け、脱字など）を検査して、印字品質が良好であれば、そのＩＣモジュール装着シート１８はシート搬出部Ｉの良品搬出部Ｉａより良品製品として搬出され、他方、印字品質が不良であれば、そのＩＣモジュール装着シート１８は、シート搬出部Ｉの不良品搬出部Ｉｂより不良品製品として搬出される。
【００５５】
また、上記のシート個別確定手段２４における各々ＩＣモジュール装着シート１８のＩＣモジュール（ＩＣタグ１ａ）のＩＣチップメモリの記録データ（ＩＣデータ）と、該シート１８に印字された各々識別データ（印字データ）との整合性処理は、所定の検査制御プログラムと、予めメモリテーブルとして設定された所定の管理情報対応テーブル（ＩＣデータと印字データのそれぞれ管理番号、記号、コードの対応（整合）関係を表す管理情報対応表）とに基づいて、整合性検査制御手段２５（コンピュータ）によるデータ処理制御により、前記ＩＣデータと印字データとの比較照合を行う。
【００５６】
そして、前記管理情報対応テーブルに基づいて、前記ＩＣデータと印字データとの整合性の有無を検査し、両データ間に整合性が有れば、そのＩＣモジュール装着シート１８はシート搬出部Ｉの良品搬出部Ｉａより良品製品として搬出されるとともに、コンピュータデータ処理により前記ＩＣデータと印字データとの両データの紐付け（リンク付け）を行い、両データの整合性有りの確定及びその記録登録を行うものである。
【００５７】
他方、両データ間に整合性が無ければ、そのＩＣモジュール装着シート１８は、シート搬出部Ｉの不良品搬出部Ｉｂより不良品製品として搬出されるとともに、コンピュータデータ処理により、前記ＩＣデータと印字データとの両データの整合性無しの確定及びその記録登録を行うものである。
【図面の簡単な説明】
【００５８】
【図１】本発明のＩＣモジュール装着シート製造装置のＩＣタグ供給部Ａ、シート供給部Ｂ、シート二つ折り部Ｃ、シート接着部Ｄ、シート型抜き部Ｅ、記録データ読取部Ｆ、印字部Ｇ、整合性検査部Ｈ、シート搬出部Ｉの配置を説明する全体平面図。
【図２】本発明のＩＣモジュール装着シート製造装置におけるＩＣタグ供給部Ａ及びシート供給部Ｂを説明する斜視図。
【図３】（ａ）は本発明のＩＣモジュール装着シート製造装置におけるシート二つ折り部Ｃを説明する斜視図、（ｂ）はそのシート接着部Ｄを説明する斜視図、（ｃ）はそのシート型抜き部Ｅを説明する斜視図。
【図４】本発明のＩＣモジュール装着シート製造装置における記録データ読取部Ｆ及び印字部Ｇ及び整合性検査部Ｈを説明する斜視図。
【符号の説明】
【００５９】
Ａ…ＩＣタグ供給部  Ｂ…シート供給部  Ｃ…シート二つ折り部  Ｄ…シート接着部
Ｅ…シート型抜き部  Ｆ…記録データ読取部  Ｇ…印字部  Ｈ…整合性検査部
Ｉ…シート搬出部  Ｉａ…良品搬出部  Ｉｂ…不良品搬出部
１…テープ状基材  １ａ…ＩＣモジュール（ＩＣタグ）  ２…ＩＣチップ
３…アンテナ部  ４…ＴＡＢテープ  ４ａ…ＩＣモジュール検査手段
５…テープ送行手段  ６…テープガイド板  ７…シート送行手段  ８…シート受台部
９…ＩＣモジュール排出部
１０…第１水平吸着保持板  １１…第１吸着保持手段  １２…カッティング手段
１３…第２水平吸着保持板  １４…第２吸着保持手段  １５…シート  １６…折り手段
１７…押圧接着手段  １８…ＩＣチップ装着シート  １９…型抜き手段
２２…記録データ読取手段  ２３…印字手段  ２４…整合性検査手段
２５…整合性検査制御手段
【図１】
2005316816.tif 000003
【図２】
2005316816.tif 000004
【図３】
2005316816.tif 000005
【図４】
2005316816.tif 000006